(57)【特許請求の範囲】
【請求項１】
前端にペン先（２１）を備えた前軸（２）と、該前軸（２）後部の円筒状の挿入部（３）外周面に嵌着される円筒状の後軸（５）とからなり、前記挿入部（３）外周面と前記後軸（５）内周面との間に、互いに軸方向に乗り越え嵌合する外向突起（６１）及び内向突起（６２）よりなる乗り越え嵌合部（６）を設け、前記乗り越え嵌合部（６）により前記前軸（２）と前記後軸（５）とを接続固定した筆記具であって、前記挿入部（３）外周面と前記後軸（５）内周面との間に、互いに径方向に圧接する外向圧接部（７１）及び内向圧接部（７２）よりなる圧接嵌合部（７）を設けるとともに、互いに回転方向に係合する外向凸部（８１）及び内向凸部（８２）よりなる回り止め係合部（８）を設け、前記乗り越え嵌合部（６）と前記圧接嵌合部（７）と前記回り止め係合部（８）とを軸方向に配設したことを特徴とする筆記具。
【請求項２】
前記挿入部（３）の前部外周面に前記外向突起（６１）を設け、前記挿入部（３）の後部外周面に前記外向圧接部（７１）を設け、さらに、前記挿入部（３）の後部外周面の前記外向圧接部（７１）の後方に前記外向凸部（８１）を設けた請求項１記載の筆記具。
【請求項３】
前記挿入部（３）が大径部（３１）と該大径部（３１）後端に連設された小径部（３２）とを備え、前記大径部（３１）の後部外周面に前記外向圧接部（７１）を設けるとともに、前記小径部（３２）外周面に前記外向凸部（８１）を設け、一方、前記後軸（５）内周面に軸方向に延びる複数本の縦リブ（９）を等間隔に設けてなり、前記縦リブ（９）の前部を、前記大径部（３１）の後部外周面の外向圧接部（７１）と圧接嵌合する内向圧接部（７２）とするとともに、前記縦リブ（９）の後部を、前記小径部（３２）外周面の外向凸部（８１）と係合する内向凸部（８２）とした請求項２記載の筆記具。
【発明の詳細な説明】
【０００１】
【発明の属する技術分野】
本発明は、筆記具に関する。詳細には、前端にペン先を備えた前軸と、該前軸の後部外周面に嵌着する円筒状の後軸とからなる筆記具に関する。
【０００２】
【従来の技術】
従来、特開平７−１１７３９０号公報には、前軸と後軸の強固な固定力を得るための前軸と後軸の接続構造に関し、前軸外周面及び後軸内周面に、それぞれ嵌合関係となる環状凸部及び環状凹部を複数形成し、そこに乗り越え嵌合部を設けた構成が開示されている。
【０００３】
しかし、前記従来の接続構造は、軸方向（引き抜き方向）に強固に固定されるとしても、嵌合部の製造寸法ばらつきや、嵌合部の経時によるクリープ変化により、径方向及び回転方向の固定力は緩みがちである。即ち、筆記使用時、前軸に対して後軸が、径方向にぐらついたり回転したりして、ユーザーの安定した筆記使用を妨げる。
【０００４】
【発明が解決しようとする課題】
本発明は、前記従来の問題点を解決するものであって、前軸と後軸とが、軸方向に強固に固定されることは勿論、径方向及び回転方向にも強固に固定される接続構造を備えた筆記具を提供しようとするものである。
【０００５】
【課題を解決するための手段】
〔１〕本発明は、前端にペン先２１を備えた前軸２と、該前軸２後部の円筒状の挿入部３外周面に嵌着される円筒状の後軸５とからなり、前記挿入部３外周面と前記後軸５内周面との間に、互いに軸方向に乗り越え嵌合する外向突起６１及び内向突起６２よりなる乗り越え嵌合部６を設け、前記乗り越え嵌合部６により前記前軸２と前記後軸５とを接続固定した筆記具１であって、前記挿入部３外周面と前記後軸５内周面との間に、互いに径方向に圧接する外向圧接部７１及び内向圧接部７２よりなる圧接嵌合部７を設けるとともに、互いに回転方向に係合する外向凸部８１及び内向凸部８２よりなる回り止め係合部８を設け、前記乗り越え嵌合部６と前記圧接嵌合部７と前記回り止め係合部８とを軸方向に配設したこと（請求項１）を要件とする。
【０００６】
（作用）
前記乗り越え嵌合部６は、前軸２の後部に形成した挿入部３の外周面に設けた外向突起６１（例えば、環状突起または分散状突起）と、前記後軸５内周面に設けた内向突起６２（例えば、環状突起または分散状突起）とからなる。前記前軸２の挿入部３を後軸５内に挿入すると、前記外向突起６１と前記内向突起６２が互いに軸方向に乗り越え嵌合する。それにより、前軸２と後軸５との軸方向の強固な固定力が得られ、前軸２からの後軸５の脱落が防止される。尚、前記外向突起６１と前記内向突起６２の組合せは、確実に嵌合関係となる組合せ（例えば、環状突起と環状突起の組合せ、環状突起と分散状突起の組合せ）が好ましい。
【０００７】
前記圧接嵌合部７は、前軸２の挿入部３外周面に設けた外向圧接部７１（例えば、環状突起、分散状突起、環状平滑面等）と、該外向圧接部７１と圧接嵌合する後軸５の内周面に設けた内向圧接部７２（例えば、環状突起、分散状突起、環状平滑面等）とからなる。前軸２の挿入部３を前記後軸５内に挿入すると、前記外向圧接部７１と前記内向圧接部７２とが互いに径方向に圧接し、前記圧接嵌合部７によって、前軸２と後軸５の径方向のがたつきが抑止される。尚、前記外向圧接部７１と前記内向圧接部７２の組合せは、例えば、環状突起と環状平滑面の組合せ、分散状突起と環状平滑面の組合せ、あるいは環状平滑面と環状平滑面の組合せ等が挙げられる。
【０００８】
前記回り止め係合部８は、前軸２の挿入部３外周面に形成した外向凸部８１と、後軸５内周面に形成した内向凸部８２とからなる。前記前軸２の挿入部３を前記後軸５内に挿入すると、前記外向凸部８１と前記内向凸部８２とが互いに回転方向に係合される。前記内向凸部８２と前記外向凸部８１の回転方向の係合により、前軸２と後軸５の相対回転が確実に抑止される。
【０００９】
本発明は、特に、前記乗り越え嵌合部６、前記圧接嵌合部７、及び前記回り止め係合部８の三者を軸方向（即ち前後方向）に配置させたこと、即ち、乗り越え嵌合部６、前記圧接嵌合部７、及び前記回り止め係合部８を、前後の位置に分けて設けたことにより、それぞれの機能を独立して十分に発揮させることができる。
【００１０】
もし仮に、圧接嵌合部７と回り止め係合部８を軸方向に重なる位置に設け、当該位置において、がたつき防止機能と回り止め機能を兼ねる構成の場合、強固な回り止め係合を得るために外向凸部８１及び内向凸部８２を径方向に大きく突出させると、後軸５の内径（それに伴う後軸５の外径）が大きくなり、後軸５が不格好な外観となる不具合が生じたり、また、これとは逆に、前記後軸５の外径をスリムに抑えると、外向凸部８１及び内向凸部８２の突出量を小さく設定しなければならず、強固な回り止め機能が得られないおそれがある。
【００１１】
〔２〕前記請求項１の筆記具１において、前記挿入部３の前部外周面に前記外向突起６１を設け、前記挿入部３の後部外周面に前記外向圧接部７１を設け、さらに、前記挿入部３の後部外周面の前記外向圧接部７１の後方に前記外向凸部８１を設けること（請求項２）が好ましい。
【００１２】
（作用）
挿入部３の前部外周面に前記外向突起６１を設け、挿入部３の後部外周面に前記外向圧接部７１を設けることにより、挿入部３の外周面に、乗り越え嵌合部６と圧接嵌合部７の前後に大きく離隔した位置に設けることができる。それにより、前軸２と後軸５との径方向のぐらつきを、より一層抑止できる。
【００１３】
また、外向圧接部７１の後方に外向凸部８１を設けたことにより、回り止め係合部８の外向凸部８１と内向凸部８２との係合量を自由に大きく設定することができる。仮に、前記構成とは逆に、外向圧接部７１の前方に外向凸部８１を設ける場合、後軸５の外径寸法に外観上の制約があると、外向凸部８１及び内向凸部８２を大きく突出できず、回り止め係合部８の十分な係合量（即ち十分な回り止め効果）が得られない。
【００１４】
また、乗り越え嵌合部６を、挿入部３の前部及び後軸５の前部に設けたことにより、前記乗り越え嵌合部６を挿入部３の後部に設ける場合に比べ、成形金型の加工が有利となる。
【００１５】
〔３〕前記請求項２の筆記具１において、前記挿入部３が大径部３１と該大径部３１後端に連設された小径部３２とを備え、前記大径部３１の後部外周面に前記外向圧接部７１を設けるとともに、前記小径部３２外周面に前記外向凸部８１を設け、一方、前記後軸５内周面に軸方向に延びる複数本の縦リブ９を等間隔に設けてなり、前記縦リブ９の前部を、前記大径部３１の後部外周面の外向圧接部７１と圧接嵌合するための内向圧接部７２とし、前記縦リブ９の後部を、前記小径部３２外周面の外向凸部８１と係合するための内向凸部８２としたこと（請求項３）が好ましい。
【００１６】
（作用）
特に、挿入部３の後端部に小径部３２を設け、該小径部３２の外周面に外向凸部８１を設けたことにより、前記外向凸部８１と回転方向に係合する前記後軸５内周面の縦リブ９の後部（即ち内向凸部８２）を、径方向内方に大きく突出させ、前記外向凸部８１と前記内向凸部８２との係合量（径方向の重なり寸法）を大きく設定することができる。その結果、後軸５の内径（即ち後軸５の外径）を大きくする必要がなく、後軸５のスマートな外観を維持できる。
【００１７】
また、前記縦リブ９は、その前部が圧接嵌合用の内向圧接部７２となり、その後部が係合用の内向凸部８２となる。即ち、前記縦リブ９により、圧接嵌合用の内向圧接部７２と、回り止め係合用の内向凸部８２とが一体に形成されてなる。そのため、構造が簡易となり、金型製造が容易となる。
【００１８】
また、前記縦リブ９を後軸５内周面に等間隔に配置したことにより、前記縦リブ９の前部（即ち内向圧接部７２）により、偏りの無い径方向のがたつき防止がなされるとともに、前記縦リブ９の後部（即ち内向凸部８２）により、前軸２と後軸５の挿入時の回転方向の向きを揃える手間が不要になり、前軸２と後軸５の挿入組立性が向上する。
【００１９】
【発明の実施の形態】
本発明の実施の形態を図面に従って説明する。
【００２０】
図１〜図４、及び図６に本発明筆記具１の実施例を示す。筆記具１は、主に前軸２と後軸５とからなる。
【００２１】
（前軸）
前記前軸２は、前端にペン先２１（ここではボールペンチップ）が取り付けられた把持部４と、該把持部４の後方に連設された円筒状の挿入部３とが一体に形成された合成樹脂の射出成形体である。前記挿入部３は、前方の円筒状大径部３１とその後端の円筒状小径部３２とからなり、全体が把持部４よりも小さい外径を有する。
【００２２】
前記大径部３１の前部外周面には、等間隔周状に配設された４個の分散状突起が、軸方向の前後に３箇所に配設されている。前記３箇所の分散状突起の中で、前方の２箇所は、乗り越え嵌合用の外向突起６１となり、最も後方の１箇所は、圧接嵌合用の外向圧接部７１となる。また、前記小径部３２の外周面には、軸方向に延びる２本の外向凸部８１が形成されている。
【００２３】
（後軸）
前記後軸５は、前端が開口され、後端が閉塞された有底円筒体であり、合成樹脂の射出成形により形成されてなる。前記後軸５の前部内周面（即ち開口側内周面）には、３箇所に環状突起が軸方向に配設される。前記３箇所の環状突起の中で、前方の２箇所が、乗り越え嵌合用の内向突起６２となり、最も後方の１箇所が、前記挿入部３の中間位置の外向突起６１後面と圧接する。
【００２４】
また、前記後軸５の後部内周面（即ち閉鎖側内周面）には、底面より軸方向に延びる８本の縦リブ９が、周状に等間隔に配設される。前記縦リブ９は、前部が大きい内接円の直径を有する内向圧接部７２となり、後部が小さい内接円の直径を有する内向凸部８２となる。
【００２５】
（作用）
前記後軸５内周面を、前記前軸２の挿入部３外周面を嵌入させたとき（図１及び図６参照）、前記外向突起６１と前記内向突起６２とが乗り越え嵌合し、それと同時に、前記挿入部３の大径部３１の後部外周面の環状平滑面（即ち外向圧接部７１）と、前記後軸５内周面の縦リブ９の前部（即ち内向圧接部７２）とが径方向に圧接嵌合し（図３参照）、さらに、前記挿入部３の小径部３２外周面の外向凸部８１と、前記後軸５内周面の縦リブ９の後部（即ち内向凸部８２）とが周方向に係合する（図４参照）。
【００２６】
（回り止め係合部）
図４に示すように、前記８本の内向凸部８２は、隣接する凸部間の中心角αが４５度に設定されている。また、前記２本の外向凸部８１は、凸部間の中心角βが２２．５度に設定されている。前記内向凸部８２と前記外向凸部８１の係合形態としては、前記２本の外向凸部８１の間の係合凹部に、前記内向凸部８２の１本が係合する場合（図４の実線部分）、前記隣接する内向凸部８２の間の係合凹部に、前記２本の外向凸部８１が係合する場合（図４の二点鎖線部分）があり、いずれの場合も、回り止め作用を有する。
【００２７】
また、前記図４に示すように、本実施例の回り止め係合部８において、後軸５内周面の内向凸部８２の内接円の直径は、前軸２の小径部３２の外径（外向凸部８１を除く基円）よりも僅かに大きく設定されており、前軸２と後軸５が嵌着した際、前記小径部３２外周面と前記内向凸部８２後部は非接触状態にある。
【００２８】
前記図４の係合形態以外にも、図５に示すように、前記８本の内向凸部８２の隣接する凸部間の中心角αを４５度に設定し、一方、前記２本の外向凸部８１の凸部間の中心角βを１５７．５度に設定する構成でもよい。これにより、図４と同様の回り止め効果が得られる。前記内向凸部８２の中心角αが４５度である場合、前記外向凸部８１の中心角βは、前記１５７．５度の他にも、図示はしないが、６７．５度、又は１１２．５度であっても図４と同様の効果が得られる。
【００２９】
尚、外向凸部８１の中心角βは、前軸２と後軸５の回り止め可能な位置関係にあれば、前記に設定した組合せ以外にも適宜構成することができる。
【００３０】
（その他）
尚、本発明の筆記具１の前軸２のタイプとしては、例えば、（ａ）前軸２内の後部にインキを直接収容するインキタンクを形成し且つ前軸２内の前部に前記インキタンクの内圧変化に応じた溢出インキを一時的に保持するインキ調節部材（例えば櫛歯状部材）を配置したもの、あるいは、（ｂ）前軸２内にインキを直接収容し且つ前記インキの後端にインキ消費に伴い前進する追従体（例えば、グリス状物、弾性体、固形物等）を設けた構成等、適宜である。
【００３１】
特に、前記（ａ）のタイプの場合、前軸２の挿入部３内にインキタンクを形成し前記挿入部３外周面に後軸５内周面を嵌着させると、図１に示すように、後軸５内面と前軸２外面との間に環状の隙間（断熱空間）が形成でき、手の体温によるインキタンク内の空気膨張を防ぎ、ペン先２１からのインキの漏出を防止できる。
【００３２】
また、本発明のペン先２１としては、ボールペンチップの他、例えば、繊維ペン体、パイプ状ペン体、万年筆用金属板製ペン体、毛筆ペン体、ポーラスペン体、プラスチック押出成形製ペン体等を挙げることができる。
【００３３】
【発明の効果】
請求項１乃至請求項３の発明により、前軸と後軸とが軸方向に強固に固定されることは勿論、前軸と後軸とが径方向及び回転方向にも強固に固定される接続構造を備えることができる。
【図面の簡単な説明】
【図１】本発明の実施例を示す縦断面図である。
【図２】図１のＳ部拡大図である。
【図３】図１のＡ−Ａ線拡大断面図である。
【図４】図１のＢ−Ｂ線拡大断面図である。
【図５】回り止め係合部の変形例を示す断面図である。
【図６】図１の挿入組立前の前軸と後軸を示す図である。
【符号の説明】
１  筆記具
２  前軸
２１  ペン先
３  挿入部
３１  大径部
３２  小径部
４  把持部
５  後軸
６  乗り越え嵌合部
６１  外向突起
６２  内向突起
７  圧接嵌合部
７１  外向圧接部
７２  内向圧接部
８  回り止め係合部
８１  外向凸部
８２  内向凸部
９  縦リブ
α  内向凸部の中心角
β  外向凸部の中心角
【図１】
0004303353.tif 000002
【図２】
0004303353.tif 000003
【図３】
0004303353.tif 000004
【図４】
0004303353.tif 000005
【図５】
0004303353.tif 000006
【図６】
0004303353.tif 000007